(57)【要約】      （修正有）【課題】ユーザが生体信号検出センサを適性にユーザの生体に装着することを可能とする情報処理装置、プログラム及び生体信号測定セットを提供する。【解決手段】情報処理装置１１０は、保持部１１４と、画像取得部１１２と、画像処理部１１３と、比較部１１５と、画像生成部１１７とを具備する。保持部１１４は、予め規定された、ユーザの身体部位に対する生体信号検出センサの装着位置である規定装着位置を保持する。画像取得部１１２は、撮像部１１１によって撮像された撮像画像を取得する。画像処理部１１３は、撮像画像からユーザの身体形状を抽出する。比較部１１５は、身体形状と規定装着位置とを比較する。画像生成部１１７は、比較部１１５による比較結果に基づいて、表示部１１８に表示する表示画像を生成する。【選択図】図２
2014030621.tif 000002
【特許請求の範囲】
【請求項１】
予め規定された、ユーザの身体部位に対する生体信号検出センサの装着位置である規定装着位置を保持する保持部と、
撮像部によって撮像された撮像画像を取得する画像取得部と、
前記撮像画像からユーザの身体形状を抽出する画像処理部と、
前記身体形状と前記規定装着位置とを比較する比較部と、
前記比較部による比較結果に基づいて、表示部に表示する表示画像を生成する画像生成部と
を具備する情報処理装置。
【請求項２】
請求項１に記載の情報処理装置であって、
前記画像生成部は、前記撮像画像と、前記規定装着位置に相等する前記撮像画像上の位置に配置されたマーカとを重畳させて前記表示画像を生成する
情報処理装置。
【請求項３】
請求項１に記載の情報処理装置であって、
前記画像処理部は、前記撮像画像からさらに生体信号検出センサの装着位置である検出装着位置を検出し、
前記比較部は、さらに前記規定装着位置と前記検出装着位置とを比較する
情報処理装置。
【請求項４】
請求項３に記載の情報処理装置であって、
前記画像生成部は、前記規定装着位置と前記検出装着位置とが相違している場合、前記撮像画像と、前記検出装着位置と相違している前記規定装着位置に相等する前記撮像画像上の位置に配置されたマーカとを重畳させて前記表示画像を生成する
情報処理装置。
【請求項５】
請求項１に記載の情報処理装置であって、
生体信号検出センサの装着態様を判定するセンサ判定部をさらに具備し、
前記画像生成部は、さらに前記センサ判定部の判定結果に基づいて、前記表示画像を生成する
情報処理装置。
【請求項６】
請求項５に記載の情報処理装置であって、
前記画像生成部は、前記装着態様が不適当な場合、前記撮像画像と、前記装着態様が不適当な生体信号検出センサの前記規定装着位置に相等する前記撮像画像上の位置に配置されたマーカとを重畳させて前記表示画像を生成する
情報処理装置。
【請求項７】
請求項６に記載の情報処理装置であって、
前記生体信号検出センサは、脳波測定用電極であって、
前記センサ判定部は、前記脳波測定用電極の接触抵抗に基づいて装着態様を判定する
情報処理装置。
【請求項８】
予め規定された、ユーザの身体部位に対する生体信号検出センサの装着位置である規定装着位置を保持する保持部と、
撮像部によって撮像された撮像画像を取得する画像取得部と、
前記撮像画像から、ユーザの身体形状を抽出する画像処理部と、
前記身体形状と前記規定装着位置とを比較する比較部と、
前記比較部による比較結果に基づいて、表示部に表示する表示画像を生成する画像生成部と
として情報処理装置を機能させるプログラム。
【請求項９】
ユーザの身体において生体信号を検出する生体信号検出センサを有する生体信号測定装置と、
予め規定されたユーザの身体部位に対する前記生体信号検出センサの装着位置である規定装着位置を保持する保持部と、撮像部によって撮像された撮像画像を取得する画像取得部と、前記撮像画像からユーザの身体形状を抽出する画像処理部と、前記身体形状と前記規定装着位置とを比較する比較部と、前記比較部による比較結果に基づいて表示部に表示する表示画像を生成する画像生成部とを有する情報処理装置と
を具備する生体信号測定セット。
【発明の詳細な説明】
【技術分野】
【０００１】
本技術は、ユーザの身体に生体信号測定センサを装着して実施する生体信号測定に係る情報処理装置、プログラムおよび生体信号測定セットに関する。
【背景技術】
【０００２】
医療ホームモニタリングは、患者が装置を自宅に持ち帰り、患者自身が装置の操作を行って生体信号を測定し、この測定結果を元に医師が診断を行う。しかし、装置に不慣れで専門知識がない患者がセンサの取り付けや装置の操作を行うことがあり、その結果、センサが正しく取り付けられず、得られた測定値から正確な診断が行えないことがある。
【０００３】
センサの取り付け支援方法に関して、例えば特許文献１には、頭部が図示された電極ホルダーにより取り付け場所が簡便に分かるようにした脳波測定装置用電極線保持具が開示されている。また、特許文献２には、最適な装着位置にセンサが接近すると、音で知らせる光トポグラフィー（登録商標）の頭部装着支援方法が開示されている。
【先行技術文献】
【特許文献】
【０００４】
【特許文献１】特開２００３−１５９２２５号公報
【特許文献２】特開２００６−１２２０８６号公報
【発明の概要】
【発明が解決しようとする課題】
【０００５】
しかしながら、特許文献１に記載の方法では、ユーザの頭部形状には個人差があるため、ユーザが正確な装着位置を把握することは困難である。また、特許文献２に記載の方法では、ユーザがセンサを適性な装着位置に迅速に装着することは困難である。さらに、いずれの方法であっても、センサが適性に装着されたか否かは、測定を実施するまで判断することができない。
【０００６】
以上のような事情に鑑み、本技術の目的は、ユーザが生体信号検出センサを適性にユーザの生体に装着することを可能とする情報処理装置、プログラム及び生体信号測定セットを提供することにある。
【課題を解決するための手段】
【０００７】
上記目的を達成するため、本技術の一形態に係る情報処理装置は、保持部と、画像取得部と、画像処理部と、比較部と、画像生成部とを具備する。
上記保持部は、予め規定された、ユーザの身体部位に対する生体信号検出センサの装着位置である規定装着位置を保持する。
上記画像取得部は、撮像部によって撮像された撮像画像を取得する。
上記画像処理部は、上記撮像画像からユーザの身体形状を抽出する。
上記比較部は、上記身体形状と上記規定装着位置とを比較する。
上記画像生成部は、上記比較部による比較結果に基づいて、表示部に表示する表示画像を生成する。
【０００８】
この構成によれば、撮像部によって撮像された撮像画像に含まれるユーザの身体形状に合わせて、規定装着位置が反映された画像が表示画像として表示部に表示される。このため、ユーザの身体形状の個人差やユーザと撮像部の相対的位置関係に関わらず、ユーザは撮像画像に含まれる自身の身体形状と規定装着位置の関係を把握することが可能となる。
【０００９】
上記画像生成部は、上記撮像画像と、上記規定装着位置に相等する上記撮像画像上の位置に配置されたマーカとを重畳させて上記表示画像を生成してもよい。
【００１０】
この構成によれば、ユーザは、表示画像に表示されるマーカを参照して生体信号検出センサの装着位置を把握することが可能である。
【００１１】
上記画像処理部は、上記撮像画像からさらに生体信号検出センサの装着位置である検出装着位置を検出し、
上記比較部は、さらに上記規定装着位置と上記検出装着位置とを比較してもよい。
【００１２】
この構成によれば、ユーザは、自身が装着した生体信号検出センサの位置（検出装着位置）と本来装着されるべき生体信号検出センサの位置（規定装着位置）の位置関係を、表示画像を参照することによって把握することが可能となる。
【００１３】
上記画像生成部は、上記規定装着位置と上記検出装着位置とが相違している場合、上記撮像画像と、上記検出装着位置と相違している上記規定装着位置に相等する上記撮像画像上の位置に配置されたマーカとを重畳させて上記表示画像を生成してもよい。
【００１４】
この構成によれば、ユーザは、自身が装着した生体信号検出センサの位置（検出装着位置）と本来装着されるべき生体信号検出センサの位置（規定装着位置）が相違していることを、表示画像に表示されるマーカによって把握することが可能である。さらにユーザは、表示画像上の規定装着位置に相等する位置に表示されるマーカによって、相違している生体信号検出センサの本来の装着位置を把握することが可能である。
【００１５】
上記情報処理装置は、生体信号検出センサの装着態様を判定するセンサ判定部をさらに具備し、
上記画像生成部は、さらに上記センサ判定部の判定結果に基づいて、上記表示画像を生成してもよい。
【００１６】
この構成によれば、センサ判定部による生体信号検出センサの装着態様の判定結果が表示画像に反映されるため、ユーザは自身が装着した生体信号検出センサの装着態様の適否を把握することが可能となる。
【００１７】
上記画像生成部は、上記装着態様が不適当な場合、上記撮像画像と、上記装着態様が不適当な生体信号検出センサの上記規定装着位置に相等する上記撮像画像上の位置に配置されたマーカとを重畳させて上記表示画像を生成してもよい。
【００１８】
この構成によれば、ユーザは、表示画像に表示されるマーカによって、装着対象が不適当（身体表面への接触が不十分等）な生体信号検出センサを把握することが可能であり、生体信号検出センサの再装着等の対応を実行することが可能となる。
【００１９】
上記生体信号検出センサは、脳波測定用電極であって、
上記センサ判定部は、上記脳波測定用電極の接触抵抗に基づいて装着態様を判定してもよい。
【００２０】
脳波測定に際しては一般に、脳波の測定の前に脳波測定用電極がユーザの頭表に確実に接触しているか否かを、脳波測定用電極と頭表の間の接触抵抗の測定によって確認する。脳波測定用電極の接触が不十分であれば、接触抵抗が著しく大きくなるためである。したがって、この構成によれば、センサ検出部は接触抵抗に基づいて脳波測定用電極の装着態様を判定することが可能である。
【００２１】
上記目的を達成するため、本技術の一形態に係るプログラムは、保持部と、画像取得部と、画像処理部と、比較部と、画像生成部とを具備する。
上記保持部は、予め規定された、ユーザの身体部位に対する生体信号検出センサの装着位置である規定装着位置を保持する。
上記画像取得部は、撮像部によって撮像された撮像画像を取得する。
上記画像処理部は、上記撮像画像から、ユーザの身体形状を抽出する。
上記比較部は、上記身体形状と上記規定装着位置とを比較する。
上記画像生成部は、上記比較部による比較結果に基づいて、表示部に表示する表示画像を生成する。
【００２２】
上記目的を達成するため、本技術の一形態に係る生体信号測定セットは、生体信号測定装置と、情報処理装置とを具備する。
上記生体信号測定装置は、ユーザの身体において生体信号を検出する生体信号検出センサを有する。
上記情報処理装置は、予め規定されたユーザの身体部位に対する上記生体信号検出センサの装着位置である規定装着位置を保持する保持部と、撮像部によって撮像された撮像画像を取得する画像取得部と、上記撮像画像からユーザの身体形状を抽出する画像処理部と、上記身体形状と上記規定装着位置とを比較する比較部と、上記比較部による比較結果に基づいて表示部に表示する表示画像を生成する画像生成部とを有する。
【発明の効果】
【００２３】
以上のように、本技術によれば、ユーザが生体信号検出センサを適性にユーザの生体に装着することを可能とする情報処理装置、プログラム及び生体信号測定セットを提供することが可能である。
【図面の簡単な説明】
【００２４】
【図１】本技術の実施形態に係る生体信号測定セットの構成を示す模式図である。
【図２】同生体信号測定セットを構成する情報処理装置の機能的構成を示す模式図である。
【図３】同生体信号測定セットを構成する情報処理装置の撮像部によって撮像される撮像画像の例である。
【図４】同生体信号測定セットを構成する情報処理装置の画像処理部によって抽出されたユーザの身体形状を示す模式図である。
【図５】同生体信号測定セットを構成する情報処理装置の比較部によって身体形状に対応付けられた規定装着位置を示す模式図である。
【図６】同生体信号測定セットを構成する情報処理装置の画像生成部が生成する表示画像の例である。
【図７】同生体信号測定セットを構成する情報処理装置の撮像部によって撮像される撮像画像の例である。
【図８】同生体信号測定セットを構成する情報処理装置の画像処理部によって検出された検出装着位置を示す模式図である。
【図９】同生体信号測定セットを構成する情報処理装置の比較部が比較する規定装着位置及び検出装着位置を示す模式図である。
【図１０】同生体信号測定セットを構成する情報処理装置の画像生成部が生成する表示画像の例である。
【図１１】同生体信号測定セットを構成する情報処理装置の画像生成部が生成する表示画像の例である。
【発明を実施するための形態】
【００２５】
本技術の実施形態に係る生体信号測定セットについて説明する。
【００２６】
［生体信号測定セットの構成］
図１は、本実施形態に係る生体信号測定セット１００の構成を示す模式図である。同図に示すように、生体信号測定セット１００は、情報処理装置１１０と生体信号測定装置１５０から構成されている。
【００２７】
情報処理装置１１０は、スマートフォン、タブレット型ＰＣ（Personal computer）、据え置き型ＰＣ等の各種情報処理装置であり、特に限定されない。生体信号測定装置１５０は、ユーザ（図中、ユーザＵ）の身体に装着される生体信号検出センサ１５１を有し、ユーザの身体から生体信号を測定する装置である。以下、生体信号測定装置１５０は、ユーザの脳波を測定する脳波測定装置であるものとするが、これに限られず、心電図、血中酸素飽和度（ＳｐＯ２）、血圧等の各種生体信号を測定する装置であるものとすることが可能である。
【００２８】
情報処理装置１１０と生体信号測定装置１５０は、無線通信により接続されているものとすることができる。なお、情報処理装置１１０と生体信号測定装置１５０は、有線により接続されていてもよく、別の装置を介して接続されているものとすることも可能である。
【００２９】
情報処理装置１１０は、ＣＰＵ（Central Processing Unit）やメモリを備え、読み込まれるプログラムと協働して次のような機能的構成を実現する。図２は、情報処理装置１１０の機能的構成を示す模式図である。同図に示すように、情報処理装置１１０は、撮像部１１１、画像取得部１１２、画像処理部１１３、保持部１１４、比較部１１５、センサ判定部１１６、画像生成部１１７及び表示部１１８を有する。
【００３０】
撮像部１１１は、光学系、撮像素子等を含み、視野範囲の画像（動画を含む）を撮像する。撮像部１１１は、情報処理装置１１０において、表示部１１８と同一の方向を視野とする（図１参照）ものが好適である。また、撮像部１１１は、情報処理装置１１０とは独立して構成され、配線等によって情報処理装置１１０と接続されているものとすることも可能である。撮像部１１１は、撮像した画像（以下、撮像画像とする）を、画像取得部１１２に供給する。
【００３１】
画像取得部１１２は、撮像部１１１によって撮像された撮像画像を取得する。なお、画像取得部１１２は、撮像部１１１から直接に撮像画像を取得してもよく、ネットワーク等を経由して撮像画像を取得してもよい。画像取得部１１２は、取得した撮像画像を画像処理部１１３及び画像生成部１１７に供給する。
【００３２】
画像処理部１１３は、撮像画像に対して画像処理を施し、撮像画像に含まれるユーザの身体形状を抽出する。身体形状の抽出は、公知のエッジ検出アルゴリズムや顔認識アルゴリズム等を利用してすることが可能である。画像処理部１１３は、抽出したユーザの身体形状を比較部１１５に供給する。さらに、画像処理部１１３は、ユーザが生体信号検出センサ１５１を自らの身体に装着した後には、生体信号検出センサ１５１を認識し、その位置（以下、検出装着位置とする）を検出するものとすることが可能である。画像処理部１１３は、予め生体信号検出センサ１５１に設けれられた識別標識を利用して、生体信号検出センサ１５１を認識することが可能である。この場合、画像処理部１１３は、検出装着位置も比較部１１５に供給する。
【００３３】
保持部１１４は、予め規定されている、ユーザの身体部位に対する生体信号検出センサ１５１の装着位置（以下、規定装着位置）を保持する。規定装着位置は、生体信号検出センサ１５１が脳波測定用電極である場合、例えば、国際１０−２０法に従った電極配置である。この他にも生体信号検出センサ１５１の種類や測定目的に応じて規定装着位置は適宜設定することができる。保持部１１４は、ストレージ等に規定装着位置を保持していてもよく、ネットワークを介して規定装着位置を取得してもよい。保持部１１４は、保持している規定装着位を比較部１１５に供給する。
【００３４】
比較部１１５は、画像処理部１１３によって撮像画像から抽出されたユーザの身体形状と、保持部１１４から供給された規定装着位置を比較する。具体的には、比較部１１５は、撮像画像におけるユーザの身体形状と規定装着位置の基準となっている身体形状とを比較し、撮像画像におけるユーザの身体形状に規定装着位置を対応付ける。比較部１１５はこの比較結果を画像生成部１１７に供給する。また、比較部１１５は、画像処理部１１３から検出装着位置が供給された場合、上記対応付けられた規定装着位置と検出装着位置の比較も実施し、比較結果を画像生成部１１７に供給する。
【００３５】
センサ判定部１１６は、生体信号検出センサ１５１の装着態様を判定する。装着態様は具体的には、生体信号検出センサ１５１の装着向きや生体表面との接触の程度等を意味する。センサ判定部１１６は例えば、生体信号検出センサ１５１と生体表面との接触抵抗を生体信号測定装置１５０から取得するものとすることができる。生体信号検出センサ１５１と生体表面の接触が不十分である場合、接触抵抗は著しく増加する。このため、センサ判定部１１６は接触抵抗から生体信号検出センサ１５１の装着態様を判定するものとすることが可能である。センサ判定部１１６は接触抵抗以外にも、生体信号検出センサ１５１の装着態様を表す情報から、生体信号検出センサ１５１の装着態様を判定するものとすることが可能である。センサ判定部１１６は、判定結果を画像生成部１１７に供給する。
【００３６】
画像生成部１１７は、比較部１１５による比較結果に基づいて表示部１１８に表示させる画像（以下、表示画像とする）を生成する。具体的には、画像生成部１１７は、画像取得部１１２から供給された撮像画像に、マーカを重畳させて表示画像を生成するものとすることができる。マーカは、撮像画像におけるユーザの身体形状に対応付けられた規定装着位置（比較結果）に配置される。これにより、撮像画像中のユーザの像において、規定装着位置に対応する位置にマーカが配置された画像が表示画像として生成される。
【００３７】
また、画像生成部１１７は、比較部１１５から規定装着位置と検出装着位置の比較結果が供給された場合、その比較結果に基づいて表示画像を生成するものとすることができる。具体的には画像生成部１１７は、規定装着位置と検出装着位置が相違している場合、即ちユーザが装着した生体信号検出センサ１５１が規定装着位置に装着されていない場合、
規定装着位置に相等する撮像画像上の位置（本来の装着位置）にマーカを配置するものとすることができる。
【００３８】
さらに、画像生成部１１７は、センサ判定部１１６から生体信号検出センサ１５１の装着態様の判定結果が供給された場合、この装着態様に基づいて表示画像を生成するものとすることができる。具体的には画像生成部１１７は、装着態様が不適当な生体信号検出センサ１５１の規定装着位置に相等する撮像画像上の位置（本来の装着位置）にマーカを配置するものとすることができる。画像生成部１１７は、生成した表示画像を表示部１１８に供給する。
【００３９】
表示部１１８は、画像表示素子等を含み、画像生成部１１７から供給された表示画像を表示する。また、表示部１１８は、情報処理装置１１０とは独立して構成され、配線等を介して供給された表示画像を表示するものとすることも可能である。
【００４０】
情報処理装置１１０は以上のような構成を有する。
【００４１】
生体信号測定装置１５０は、生体信号検出センサ１５１と制御部１５２を有する。生体信号検出センサ１５１は一つでも複数でもよく、それぞれが制御部１５２に有線又は無線によって接続されている。
【００４２】
生体信号検出センサ１５１は、ユーザの身体に装着され、ユーザの生体信号を検出する。生体信号は、脳波、心電図、筋電図、血中酸素飽和度（ＳｐＯ２）、血圧等、生体の状態を示す各種信号のいずれであってもよい。生体信号検出センサ１５１は、測定対象の生体信号を検出可能でありユーザの身体に装着されるものであればよく、例えば、脳波検出用電極であるものとすることができる。生体信号検出センサ１５１は、検出した生体信号を制御部１５２に供給する。また、生体信号検出センサ１５１には、画像処理部１１３が生体信号検出センサ１５１の認識に利用する識別標識（例えば発光部）が設けられていてもよい。
【００４３】
制御部１５２は、信号処理回路等を有し、生体信号検出センサ１５１の出力を処理する。また、制御部１５２は無線通信モジュールを有し、生体信号検出センサ１５１の出力（出力の処理結果を含む）を情報処理装置１１０に送信するものとすることが可能である。
【００４４】
生体信号測定装置１５０は以上のような構成を有する。なお、生体信号測定装置１５０は、生体信号検出センサ１５１をユーザの身体に装着するための装具を有するものとすることも可能である。
【００４５】
［生体信号測定セットの動作］
生体信号測定セット１００の動作について説明する。
【００４６】
ユーザによって情報処理装置１１０の撮像部１１１がユーザ自身に向けられ、撮像画像の撮像が開始される。なお、撮像画像の撮像は連続的に実施され、即ち撮像画像は動画を構成するものとすることができるが、以下の説明については一つの撮像画像を例にとって説明する。図３に撮像画像の例として撮像画像Ｇ１を示す。
【００４７】
画像取得部１１２は、撮像部１１１から撮像画像Ｇ１を取得し、画像処理部１１３及び画像生成部１１７に供給する。
【００４８】
画像処理部１１３は、撮像画像Ｇ１からユーザの身体形状を抽出する。図４は、画像処理部１１３によって抽出されたユーザの身体形状Ｓを示す模式図である。画像処理部１１３は抽出した身体形状Ｓを比較部１１５に供給する。
【００４９】
比較部１１５は、身体形状Ｓと、保持部１１４から供給された規定装着位置とを比較し、身体形状Ｓと規定装着位置とを対応付ける。図５に、比較部１１５によって身体形状Ｓに対応付けられた規定装着位置Ｐ１を示す。比較部１１５はこの比較結果を画像生成部１１７に供給する。
【００５０】
画像生成部１１７は、撮像画像Ｇ１上の、規定装着位置Ｐ１にマーカを配置し、表示画像を生成する。図６に画像生成部１１７が生成する表示画像Ｈ１を示す。表示画像Ｈ１において規定装着位置Ｐ１に配置されたマーカをマーカＭ１として示す。画像生成部１１７は表示画像Ｈ１を表示部１１８に供給する。
【００５１】
表示部１１８は、表示画像Ｈ１を表示する。これによりユーザは、生体信号検出センサ１５１を装着すべき位置を表示画像Ｈ１において確認することが可能となる。上記のように、マーカＭ１は撮像画像Ｇ１から抽出されたユーザの身体形状Ｓに基づいて配置されるため、ユーザの身体形状の個人差に応じてその位置が調整される。また、撮像画像Ｇ１の撮像中に、ユーザが身体又は撮像部１１１を動かした場合であっても、新たに撮像された撮像画像Ｇ１に対して上記プロセスが実行され、表示画像Ｈ１が生成されるため、マーカＭ１がユーザの身体形状に追随して移動する。したがって、ユーザは、表示画像Ｈ１を参照して、生体信号検出センサ１５１を装着すべき位置を正確に把握することが可能である。
【００５２】
続いて、ユーザが、表示画像Ｈ１を参照して、生体信号検出センサ１５１を自身に装着したとする。図７は、撮像部１１１によって撮像された撮像画像Ｇ２を示す。
【００５３】
画像処理部１１３は、撮像画像Ｇ２において、ユーザの身体形状と共に、生体信号検出センサ１５１の装着位置である検出装着位置を検出する。図８に画像処理部１１３によって検出された検出装着位置Ｐ２を示す。画像処理部１１３は、検出装着位置Ｐ２を比較部１１５に供給する。
【００５４】
比較部１１５は、規定装着位置Ｐ１と検出装着位置Ｐ２を比較する。図９に規定装着位置Ｐ１及び検出装着位置Ｐ２を示す。同図に示すように、一つの検出装着位置Ｐ２と規定装着位置Ｐ１が相違しており、即ち、生体信号検出センサ１５１の一つが適性な装着位置から外れている場合、比較部１１５はその相違を比較結果として画像生成部１１７に供給する。
【００５５】
画像生成部１１７は、比較部１１５から検出装着位置Ｐ２と規定装着位置Ｐ１の相違を供給されると、撮像画像Ｇ２上の、相違を生じている規定装着位置Ｐ１にマーカを配置して表示画像を生成する。図１０に画像生成部１１７が生成する表示画像Ｈ２を示す。表示画像Ｈ２において相違を生じている規定装着位置Ｐ１に配置されたマーカをマーカＭ２として示す。画像生成部１１７は、マーカＭ２を点滅させ、あるいは色を変更する等してユーザに注意を促してもよい。また、画像生成部１１７は表示画像Ｈ２に、上記マーカＭ１を表示するものとすることも可能である。画像生成部１１７は表示画像Ｈ２を表示部１１８に供給する。
【００５６】
表示部１１８は、表示画像Ｈ２を表示する。これによりユーザは、生体信号検出センサ１５１が、本来装着すべき位置からずれて装着されていることを確認することが可能である。  
【００５７】
また、ユーザが生体信号検出センサ１５１を自身に装着した後、センサ判定部１１６は、生体信号検出センサ１５１の装着態様を判定する。具体的には、センサ判定部１１６は、生体信号測定装置１５０の制御部１５２から、生体信号検出センサ１５１の出力（接触抵抗等）を取得するものとすることができる。センサ判定部１１６は、取得した出力に基づいて、生体信号検出センサ１５１の装着態様が適当か不適当かを判定し、画像生成部１１７に供給する。
【００５８】
画像生成部１１７は、センサ判定部１１６から判定結果が供給されると、装着態様が不適当な生体信号検出センサ１５１の規定装着位置又はその近傍にマーカを配置して表示画像を生成する。図１１は、画像生成部１１７が生成する表示画像Ｈ３を示す。表示画像Ｈ３において、装着態様が不適当な生体信号検出センサ１５１の近傍に配置されたマーカをマーカＭ３として示す。画像生成部１１７は、マーカＭ３を点滅させ、あるいは色を変更する等してユーザに注意を促してもよい。また、画像生成部１１７は表示画像Ｈ３に、上記マーカＭ１も表示するものとすることができ、色の変更等により装着態様が適当であることをユーザに提示してもよい。画像生成部１１７は表示画像Ｈ３を表示部１１８に供給する。
【００５９】
表示部１１８は、表示画像Ｈ３を表示する。これによりユーザは、生体信号検出センサ１５１の装着態様が適当か否かを確認することが可能である。
【００６０】
以上のように、本実施形態に係る生体信号測定セット１００により、ユーザは、生体信号検出センサ１５１を装着すべき位置を容易に把握することが可能である。また、生体信号検出センサ１５１の装着後においても、装着位置の相違や装着態様の適否を把握することが可能であり、生体信号の正確な測定が可能となる。
【００６１】
本技術は、上記各実施形態にのみ限定されるものではなく、本技術の要旨を逸脱しない範囲内において変更することが可能である。
【００６２】
上記実施形態においては、情報処理装置は、生体信号検出センサの装着位置にマーカを表示するものとしたが、マーカと共に生体信号検出センサの装着方法を表示するものとすることも可能である。また、情報処理装置は、マーカの表示と共に音声によって生体信号検出センサの装着位置をユーザに提示してもよい。
【００６３】
また、上記実施形態において、撮像部による撮像画像を録画しておくことにより、後に他者（医師等）がユーザの生体信号検出センサの装着態様を確認することが可能である。これにより、他者は、測定結果に異常があった場合等に、その原因判断に撮像画像を利用することができる。また、撮像画像はネットワークを介してリアルタイムに他者に提供されてもよい。
【００６４】
なお、本技術は以下のような構成も採ることができる。
（１）
予め規定された、ユーザの身体部位に対する生体信号検出センサの装着位置である規定装着位置を保持する保持部と、
撮像部によって撮像された撮像画像を取得する画像取得部と、
上記撮像画像からユーザの身体形状を抽出する画像処理部と、
上記身体形状と上記規定装着位置とを比較する比較部と、
上記比較部による比較結果に基づいて、表示部に表示する表示画像を生成する画像生成部と
を具備する情報処理装置。
【００６５】
（２）
上記（１）に記載の情報処理装置であって、
上記画像生成部は、上記撮像画像と、上記規定装着位置に相等する上記撮像画像上の位置に配置されたマーカとを重畳させて上記表示画像を生成する
情報処理装置。
【００６６】
（３）
上記（１）又は（２）に記載の情報処理装置であって、
上記画像処理部は、上記撮像画像からさらに生体信号検出センサの装着位置である検出装着位置を検出し、
上記比較部は、さらに上記規定装着位置と上記検出装着位置とを比較する
情報処理装置。
【００６７】
（４）
上記（１）から（３）のいずれか一つに記載の情報処理装置であって、
上記画像生成部は、上記規定装着位置と上記検出装着位置とが相違している場合、上記撮像画像と、上記検出装着位置と相違している上記規定装着位置に相等する上記撮像画像上の位置に配置されたマーカとを重畳させて上記表示画像を生成する
情報処理装置。
【００６８】
（５）
上記（１）から（４）のいずれか一つに記載の情報処理装置であって、
生体信号検出センサの装着態様を判定するセンサ判定部をさらに具備し、
上記画像生成部は、さらに上記センサ判定部の判定結果に基づいて、上記表示画像を生成する
情報処理装置。
【００６９】
（６）
上記（１）から（５）のいずれか一つに記載の情報処理装置であって、
上記画像生成部は、上記装着態様が不適当な場合、上記撮像画像と、上記装着態様が不適当な生体信号検出センサの上記規定装着位置に相等する上記撮像画像上の位置に配置されたマーカとを重畳させて上記表示画像を生成する
情報処理装置。
【００７０】
（７）
上記（１）から（６）のいずれか一つに記載の情報処理装置であって、
上記生体信号検出センサは、脳波測定用電極であって、
上記センサ判定部は、上記脳波測定用電極の接触抵抗に基づいて装着態様を判定する
情報処理装置。
【００７１】
（８）
予め規定された、ユーザの身体部位に対する生体信号検出センサの装着位置である規定装着位置を保持する保持部と、
撮像部によって撮像された撮像画像を取得する画像取得部と、
上記撮像画像から、ユーザの身体形状を抽出する画像処理部と、
上記身体形状と上記規定装着位置とを比較する比較部と、
上記比較部による比較結果に基づいて、表示部に表示する表示画像を生成する画像生成部と
として情報処理装置を機能させるプログラム。
【００７２】
（９）
ユーザの身体において生体信号を検出する生体信号検出センサを有する生体信号測定装置と、
予め規定されたユーザの身体部位に対する上記生体信号検出センサの装着位置である規定装着位置を保持する保持部と、撮像部によって撮像された撮像画像を取得する画像取得部と、上記撮像画像からユーザの身体形状を抽出する画像処理部と、上記身体形状と上記規定装着位置とを比較する比較部と、上記比較部による比較結果に基づいて表示部に表示する表示画像を生成する画像生成部とを有する情報処理装置と
を具備する生体信号測定セット。
【符号の説明】
【００７３】
１００…生体信号測定セット
１１０…情報処理装置
１１１…撮像部
１１２…画像取得部
１１３…画像処理部
１１４…保持部
１１５…比較部
１１６…センサ判定部
１１７…画像生成部
１１８…表示部
１５０…生体信号測定装置
１５１…生体信号検出センサ
１５２…制御部
【図１】
2014030621.tif 000003
【図２】
2014030621.tif 000004
【図３】
2014030621.tif 000005
【図４】
2014030621.tif 000006
【図５】
2014030621.tif 000007
【図６】
2014030621.tif 000008
【図７】
2014030621.tif 000009
【図８】
2014030621.tif 000010
【図９】
2014030621.tif 000011
【図１０】
2014030621.tif 000012
【図１１】
2014030621.tif 000013